(57)【要約】      （修正有）【課題】ゴルフのクラブヘッドとフェイスプレートの結合構造を改良して軽量化、生産性を向上する。【解決手段】スチールクラブヘッド本体１０に対してフェイスプレート２０をチタンなどの軽量な合金製でカップ型とし、クラブヘッド本体外周縁に凹溝１１を、フェイスプレート周縁にこれと嵌合する凸縁部２０Ａを形成して両者を嵌合して組み合わせて結合し、フェイスプレート面からねじ切り加工を行なって、フェイスプレートと同材質のネジ結合具により締結して、結合孔部２１を溶接して固着する。クラブヘッド本体とフェイスプレートが強固に結合され、軽量化されるため、ミートスポットが拡大し、反発係数、弾発力向上し、製造も容易となる。【選択図】図1
0003132379.tif 000002
【実用新案登録請求の範囲】
【請求項１】
クラブヘッド本体に対してフェイスプレートをクラブヘッド本体と異なるチタンなどの軽量な合金製でカップ型とし、クラブヘッド本体外周縁に凹溝を、フェイスプレート周縁にこれと嵌合する凸縁部を形成して両者を嵌合して組み合わせて結合し、フェイススプレート面からねじ切り加工を行なって、フェイスプレートと同材質のネジ結合具により締結して、結合孔部を溶接して固着した、ことを特徴とする
異種金属からなるゴルフクラブヘッド。
【請求項２】
上記ゴルフクラブヘッドにアイアンシャフトを結合したことを特徴とする、
請求項1記載のゴルフクラブヘッド。
【請求項３】
上記ゴルフクラブヘッドにウッドシャフトを結合したことを特徴とする、
請求項1記載のゴルフクラブヘッド。
【考案の詳細な説明】
【技術分野】
【０００１】
本考案は、異種金属からなるゴルフクラブヘッドの結合構造の改良に関し、特にクラブヘッド本体とチタン或いはチタン合金で製造されているカップ型のフェイスプレートがチタン素材の留め具によるねじ切り加工と溶接によって結合する構造とし、クラブヘッド本体とフェイスプレートが密着して一体化したことにより、クラブヘッド部分のミートスポットが拡大され、ボールを打つ際に打点がミートスポットに当たり易くなり、またフェイスプレートの反発係数、弾力性、音の響鳴度も向上し、またボールを打つ際に重力加速度がより良く働き、更に打ち易く、使用者がより一層ゴルフを楽しめるゴルフクラブヘッドを提供する。
【背景技術】
【０００２】
従来のゴルフクラブのデザインにおいてはアイアン或いはウッドのシャフトを始め様々な改良が重ねられてきたが、ゴルフクラブにおいて、クラブヘッドは打球を決定付ける重要な部分であるといえる。
【０００３】
クラブヘッドを製造する際には、クラブヘッドの重量、体積、その角度に至るまで様々な国際的な規格が設けられており、それに基づいて精確な設計と精密な製造工程を経て検査が行なわれる。
【０００４】
クラブヘッドに、通常は用いる材料は、一般的にスチール或いはスチール繊維だが、これではヘッド部分の軽量化ができず、ヘッドがぶれ易く、反発係数や弾力性のテストでも最良の数値は出せない。
【０００５】
また、チタンやチタン合金で製造されたフェイスプレートとクラブヘッドの結合手段は、通常、溶接のみで行なわれるが、チタン或いはチタン合金のフェイスプレートとスチール或いはスチール繊維では、この両者の間に物質特有の性質の相違（例えば、融点、熱伝導率、膨張率の差など）があり、また、溶接においては鍍金の必要や化学的に特殊な溶接方法も必要になり、これまでの溶接方法では製造が困難であり、また製造過程におこる不具合や、二種類の異質の金属を溶接した場合に起こりがちなクラブヘッドに衝撃を受けた際の剥落や、打球の安定性に欠ける問題点が挙げられる。
【特許文献１】特開２００４−２６１４７０号公報
【特許文献２】特開２００６−２９６５５８号公報
【考案の開示】
【考案が解決しようとする課題】
【０００６】
上記の問題点を解決するため、この異種金属からなるゴルフクラブヘッドの結合構造の改良を考案した。
【課題を解決するための手段】
【０００７】
チタンまたはチタン合金の錆び難く、軽量で、強度に優れた点に着目して、ゴルフクラブヘッドの性能に適したこのチタン、チタン合金のフェースプレイトとヘッドと結合させることを考案した。
【０００８】
特に、カップ型のチタン或いはチタン合金で製造されているフェイスプレートは、チタン素材の留め具によるねじ切り加工と溶接によって結合する仕組みによりクラブヘッド本体とフェイスプレートが密着して異種金属の一体化を実現した。
【０００９】
また、このクラブヘッドはクラブヘッド本体とチタン或いはチタン合金で製造されているカップ型のフェイスプレートとチタン素材の留め具から構成され、クラブヘッド本体の正面の縁に沿って一周してCNC加工による凹溝が施し、またフェイスプレートの裏面にも同様にCNC加工による凸縁部が上記の凹溝に合わさるように施し、両者はチタン素材の留め具によるねじ切り加工と溶接によって結合する仕組みとした。
【考案の効果】
【００１０】
以上の構成によりクラブヘッド本体とフェイスプレートが更に密着度を増し一体化し剥落を防止し、またチタンの特性を活かしたフェイスプレートにより軽量化、反発指数、弾力性が増す。このことにより、使用者にとってより使い易いゴルフクラブヘッドとすることができた。
【考案を実施するための最良の形態】
【００１１】
ついで、本考案を、図を参照して更に詳しく説明する。図１、図２、に示した本考案のクラブヘッド本体１０、及びフェイスプレート２０においては、クラブヘッド本体１０は、何れかのアイアンシャフト（図２、図３）に取り付けたり、或いは何れかのウッドシャフト（図４）を付けることができるが、以下全てアイアンで説明する。
【００１２】
クラブヘッド本体１０の正面の縁に沿って一周してCNC加工による凹溝１１が形成されており、その凹溝１１の溝内には幾つかのねじ孔１２が設けられる。フェイスプレート２０は、チタン或いはチタン合金で製造され、そのフェイスプレート２０の裏面にも同様にCNC加工による凸縁部２０Aが形成されている。その凸縁部２０Aの周縁にもいくつかの貫通した結合孔２１が設けられており、フェイスプレート２０に設けられた凸縁部２０Aは、クラブヘッド本体１０の凹溝１１に合致するようになっており、両者は組み合わされて、ねじ切り加工を施し、チタン素材の留め具３０によりしっかりと結合され、また、そのチタン素材の留め具３０（埋めねじ）で結合した後のフェイスプレート２０の窪み部分には更に溶接が施され平らにされるが、その際の溶接材はフェイスプレート２０と同材質のチタン素材を用いる。
【００１３】
クラブヘッド本体１０とフェイスプレート２０は、留め具３０と溶接によって結合されるが、チタン、或いはチタン合金で製造されたカップ型のフェイスプレート２０はクラブヘッド本体１０に設けられた凹溝１１部分だけに組み合わさるため、その製造過程は簡便且つ迅速に行なうことができ、
同時にフェイスプレート２０はチタン、或いはチタン合金で製造される為、軽量化されて打点のミートスポットが拡大されると共に設計者は重量の配分をクラブヘッド本体１０の体積や重心位置に充てることができ、クラブヘッド本体１０の体積を増せばミートスポットが更に拡大でき、また重心の重さ配分を調整することにより、ボールを打つ際の安定性が増し、使用者にとって更に使い易いものとなり、弾力性、吸振性向上、飛距離アップにも繋がる。
【００１４】
本考案のクラブヘッド本体１０とフェイスプレート２０の結合構造と製法について、フェイスプレート２０はチタン或いはチタン合金で製造したが、実際の製造においては、他の材料でも製造することができる。例えば、マルエイジング鋼（Maraging Steel）等で製造し、また他の材料でフェイスプレートを製造する場合、留め具もそれと同素材のものを用いて結合される。
【００１５】
本考案の異種金属からなるゴルフクラブヘッドの結合構造の改良において、このクラブヘッド１０とフェイスプレート２０は各種形式のアイアンシャフトやウッドシャフトの構造に適用することができるが、この結合構造を用いた場合、フェイスプレートのミートスポットの拡大、ならびに、このフェイスプレートの物理的な特性である、反発力、弾力性、音の響鳴度のアップ、またヘッドの重さは軽量化され後方向または下方向に重心移動がスムーズにできるようになること、ボールを打った際、重力加速度により更に打ち易くなるなどの効果が期待でき、これらにより本考案は使用者のためにより良い道具を提供するものである。
【００１６】
更に、本考案の構造上の優れた点は、カップ型のフェイスプレートはクラブヘッド本体の凹溝内で留め具と溶接の併用によってしっかりと結合して一体化するため、製造の際、工具の節減を始め、時間や人件費などの様々なコスト削減にも繋がると言える。
【００１７】
また、この結合構造の製造は簡便且つ迅速に行なわれるため、生産率が向上し、不良品率も低減し、これによりコスト削減に繋がると言え、
【００１８】
また、このゴルフクラブヘッドにチタン或いはチタン合金のフェイスプレートを使った場合は、ミートスポットが拡大しボールを打つ際に打点がミートスポットに当たり易くなる効果をもたらすことはもちろん、反発係数、弾力性、音の響鳴度全てにおいて、ボールを打つ際に最も良い効果を得ることができる。
【００１９】
製造後のゴルフクラブヘッドにおいて、フェイスプレート２０は、チタン、或いはチタン合金で製造される為、軽量化が実現し、重心の重さ配分を調整することにより、ボールを打つ際に安定性が増し、使用者にとっても更に使い易く、まっすぐ飛び、飛距離アップにも繋がる。
【００２０】
上記の図と説明によって、本考案の異種金属からなるゴルフクラブヘッドの結合構造の改良は、クラブへッド本体１０とチタン或いはチタン合金で製造されたフェイスプレート２０とチタンの留め具３０によって構成され、両者がしっかりと組み合わさった後、更に溶接され、クラブヘッド本体１０とフェイスプレート２０と密着して一体化することは、使用者にとってより効果的で使い易いゴルフクラブヘッドを提供する目的を実現するものである。
【図面の簡単な説明】
【００２１】
【図１】本考案の異種金属からなるゴルフクラブヘッドの結合構造の分解斜視図である。
【図２】本考案の異種金属からなるゴルフクラブヘッドの結合構造の組み立てられた状態の断面図である。
【図３】本考案の異種金属からなるゴルフクラブヘッドの正面図である。
【図４】本考案の異種金属からなるゴルフクラブヘッドの別パターンの実施例を示した正面図である。
【符号の説明】
【００２２】
１０、ヘッド本体
１１、凹溝
１２、ねじ孔
２０、フェイスプレート
２０A、凸縁部
２１、結合孔
３０、留め具
【図１】
0003132379.tif 000003
【図２】
0003132379.tif 000004
【図３】
0003132379.tif 000005
【図４】
0003132379.tif 000006